(57)【要約】【課題】一般家庭への電気自動車の普及に先駆けて、電源設備の安全性や防水性を考慮し、電気機器の接続コード１３を外部に配線することにより、自宅の敷地内で安全に充電作業を行うことができる。【解決手段】電気自動車のバッテリに充電するための電気機器３を備えた電源ユニットＡであって、内部に電気機器３を配設した箱形の本体部１と、本体部１を保護するための扉２とを備えるとともに、電気機器３には少なくともコンセントを備えたコンセントユニット１０とこのコンセントユニットに給電する回路をオンオフさせるスイッチとを有し、本体部１にはコンセントユニット１０とスイッチ１２とを結ぶ接続コード１３を外部に逃がすための孔１４、１７を形成し、接続コード１３を本体部１の外部に配線した。【選択図】図２
2011091979.tif 000002
【特許請求の範囲】
【請求項１】
電気自動車のバッテリに充電するための電気機器を備えた電源ユニットであって、内部に電気機器を配設した箱形の本体部と、該本体部を保護するための扉とを備えるとともに、上記電気機器には少なくともコンセントを備えたコンセントユニットとこのコンセントユニットに給電する回路をオンオフさせるスイッチとを有し、上記本体部には上記コンセントユニットとスイッチとを結ぶ接続コードを外部に逃がすための孔を形成し、上記接続コードを上記本体部の外部に配線したことを特徴とする電源ユニット。
【請求項２】
上記電源ユニットは、中空部を有するポールに固定され、上記接続コードは上記中空部内に収容されていることを特徴とする、請求項１に記載の電源ユニット付きポール。
【請求項３】
上記電気機器は、上記ポールに当接した上記本体部の壁に固定されていることを特徴とする、請求項１又は２に記載の電源ユニット又は電源ユニット付きポール。
【請求項４】
上記電気機器は防水性を有していることを特徴とする、請求項１〜３のいずれかに記載の電源ユニット又は電源ユニット付きポール。
【発明の詳細な説明】
【技術分野】
【０００１】
本発明は、電気自動車のバッテリに充電するための電源ユニット及び電源ユニット付きポールに関する。
【背景技術】
【０００２】
最近、ガソリンの高騰や環境問題の高まりに対応して炭酸ガスを排出しない電気自動車が脚光を浴び、大企業から中小企業までその開発競争が激しくなっている。
【０００３】
ところが、電気自動車の時代になるためには、自動車の開発だけでなく、自動車のバッテリに充電するためのインフラの整備も急がれており、特に電気自動車が一般家庭に普及するためには、家庭における充電設備の整備が急務である。
【０００４】
これに対応して既に電気自動車用の充電システムや充電用の機能ポールが提案されている（特許文献１、２参照）。これらは電源ボックスの内部に充電機器を配置し、充電ボックスのドアを開閉して内部の充電機器のコンセントに充電用のケーブルのプラグを差し込むように構成されている。
【先行技術文献】
【特許文献】
【０００５】
【特許文献１】特開平９−１０７６０５号公報
【特許文献２】特許第３２６１３５７号公報
【発明の概要】
【発明が解決しようとする課題】
【０００６】
しかしながら、これらの充電装置は、日常的に操作するものであるから、なによりも安全性に重点が置かれなければならないところ、電源ボックスに配線が施されているので、充電作業を行うにあたり、充電ケーブルのプラグの取り回し作業時に充電ボックス内の配線に引っ掛けたり、絶縁材が剥がれて人体に接触したりする危険を避けなければならない。
【０００７】
本発明は、一般家庭への電気自動車の普及に先駆けて、電源設備の安全性
や防水性を考慮し、充電ボックス内のコードを外部に配線することにより、自宅の敷地内で安全に充電作業を行うことができる電気自動車用充電装置を提供することをその課題とする。
【課題を解決するための手段】
【０００８】
前記課題を解決するため、請求項１に係る発明は、電気自動車のバッテリに充電するための電気機器を備えた電源ユニットであって、内部に電気機器を配設した箱形の本体部と、該本体部を保護するための扉とを備えるとともに、上記電気機器には少なくともコンセントユニットとこのコンセントユニットに給電する回路をオンオフさせるスイッチとを有し、上記本体部には上記コンセントユニットとスイッチとを結ぶ接続コードを外部に逃がすための孔を形成し、上記接続コードを上記本体部の外部に配線したことを特徴とする。
【０００９】
請求項２に係る発明は、請求項１において、上記電源ユニットは、中空部を有する支柱に固定され、上記接続コードは上記中空部内に収容されていることを特徴とする。
【００１０】
請求項３に係る発明は、請求項１又は２において、上記電気機器は、上記支柱に当接した上記本体部の壁に固定されていることを特徴とする。
【００１１】
請求項４に係る発明は、請求項１〜３のいずれかにおいて、上記電気機器は防水性を有していることを特徴とする。
【発明の効果】
【００１２】
請求項１に係る発明によれば、箱形の本体部の内部に配設された電気機器には、少なくともコンセントを備えたコンセントユニットとこのコンセントユニットに給電する回路をオンオフさせるスイッチとを有し、上記本体部には上記コンセントユニットとスイッチとを結ぶ接続コードを外部に逃がすための孔を形成し、上記接続コードを上記本体部の外部に配線したから、本体部の内部に配線が施されていないので、充電作業を行うにあたり、充電ケーブルのプラグの取り回し作業時に本体部内の配線に引っ掛けたり、絶縁材が剥がれて人体に接触したりすることがなく、自宅の敷地内で常に快適かつ安全に充電作業を行うことができる。
【００１３】
さらに、コンセントユニット、タイマースイッチなどの電気機器は、既存の防水性を有する製品を使用すればよいので、電源ユニットを安価に市場に提供することができる。
【００１４】
請求項２に係る発明によれば、電源ユニットは、中空部を有する支柱に固定され、上記接続コードは上記中空部内に収容されているので、接続コードは外部に露出せず、雨水や紫外線に晒されることがないから、劣化が促進されることはない。
【００１５】
請求項３に係る発明によれば、電気機器は、支柱に当接した本体部の壁に固定されているから、電気機器は上記壁とともに支柱の側壁に当接して補強されるので、取付強度が向上する。
【００１６】
請求項４に係る発明によれば、本体部内にたとえ雨水が入ってきても、電気機器に錆が発生することがなく、また安全を確保することができる。
【図面の簡単な説明】
【００１７】
【図１】本発明に係る電源ユニットをポールに取り付けた状態の正面図
【図２】上記電源ユニットの一実施形態を扉を省略して示した正面図
【図３】図１の本体部の一部を断面で示した側面図
【図４】図１の本体部の一部を断面で示した平面図
【図５】本体部と扉とを分離して示した底面図
【図６】（ａ）（ｂ）は電源ユニットの他の実施形態を示す正面図及び背面図
【図７】図６（ａ）のＡ―Ａ線上の拡大端面図
【図８】図６の実施形態の電気機器の配置等を扉を外して示した一部の正面図
【図９】図６（ａ）の中央縦断面図
【発明を実施するための形態】
【００１８】
図１は本発明に係る電源ユニットをポールに取り付けた状態の正面図、図２は電気自動車のバッテリに充電するための電気機器を備えた電源ユニットの一実施形態を扉を省略して示した正面図であり、図３はその一部を断面で示した側面図、図４はその平面図である。上記電源ユニットＡは本体部１と扉２と内部の電気機器３とから構成されている。
【００１９】
本体部１は正面側が開口した箱形で、内部には電気機器が配設されている。
【００２０】
扉２は左右に回動可能に取り付けられ、その開口側には本体部１を閉鎖したときに本体部１と扉２との間から直接に雨水が入らないようにガイドする突縁４が取り付けられている。また、扉２にはダイヤル錠６が設けられている。そして、図４および図５に示されるように、本体部１の底部には開口部の近傍に凹溝５が形成されている。これに対し、扉２には凹溝５に対応する凹溝７が形成されている。これにより、扉２を閉鎖したときに、上記凹溝５と凹溝７とにより１つの充電用のケーブル２１を挿通するための貫通孔８が形成される。
【００２１】
なお、充電用のケーブル挿通用の貫通孔は、本体部１と扉２の両方に形成する必要はない。本体部１又は扉２の一方に形成しただけでもよい。また、貫通孔８の周囲には安全のためにスポンジ等の保護材３６を取り付けるのが好ましい。
【００２２】
次に、本体部１の内部には、電気機器３として、コンセントを備えたコンセントユニット１０、１１とタイマースイッチ１２が配設されている。コンセントユニット１０は２００Ｖ用で、コンセントユニット１１は１００Ｖ用である。タイマースイッチ１２は２００Ｖ用のコンセントユニット１０と接続コード１３を介して接続し、タイマースイッチ１２と２００Ｖ用のコンセントユニット１０と家庭用の電源に接続した回路が開閉するように構成されている。したがって、タイマースイッチ１２に設定された時間が経過した後、スイッチがオンして上記回路が閉じて給電できるように構成されている。電源機器３としては、防錆や安全性確保のため、表面に防水処理が施され、またコンセント３２が下向きに配置されて雨水等が付着しにくい構造のものがよい。
【００２３】
ところで、本体部１にはコンセントユニットとスイッチとを結ぶ接続コード１３を外部に逃がすための孔１４が形成され、接続コード１３は本体部１の外部に配線されている。
【００２４】
次に、電源ユニットＡの本体部１は中空のポール１５の側壁１６に固定されている。そして、上記接続コード１３はポール１５の側壁１６に貫通形成された孔１７を通って中空部１８の内部に収容されている。家庭用電源からの電源ケーブル１９もポール１５の内部に設けられたケーブルガイド孔１７を通って本体部１内の電気機器３に接続されている。なお、孔１７は外部からは見えないようになっている。
【００２５】
なお、電気機器３は本体部１に対してポール１５と無関係に取り付けられるわけではない。すなわち、本体部１の背面側の壁２０がポール１５の側壁１６に当接しているので、電気機器３も上記本体部１の壁２０にビス止めにより強固に固定されている。この壁２０はポール１５の側壁１６に当接して補強されるので、取付強度が高くなるとともに、本体部１の孔１４とポール１５の孔１７とは連続して形成されるので、作業を容易に行うことができる。接続コード１３も外部に露出することがない。
【００２６】
また、本体部１の底板には図４に示されるように、水抜き孔３５を設けるのが好ましい。
【００２７】
上記構成の電源ユニットを使用する場合、まず急速充電をしたいときは、扉２を開き、充電ケーブル２１の一端を電機自動車のバッテリに接続し、他端のプラグ３０を２００Ｖ用のコンセントユニット１０のコンセント３２に差し込む。そして、タイマースイッチ１２で時間を設定し、扉２を閉じる。このとき、充電ケーブル２１は本体部１と扉２との間の下部の孔８に収容させるので、扉２を閉じる際の邪魔にならない。これによれば、設定された時間経過後にタイマースイッチ１２が入り、２００Ｖの電源が充電ケーブル２１を通じて電気自動車のバッテリに給電されるから、急速に充電される。
【００２８】
これに対し、急いでいないときは、電機自動車のバッテリに接続した充電ケーブル２１の遊端部のプラグ３０を１００Ｖ用のコンセントユニット１０のコンセント３２に差し込めばよい。
【００２９】
もちろん、上記電源ユニットＡは電気自動車だけでなく、たとえば芝刈り機、車内掃除用の掃除機等の電源として利用することもできる。１００Ｖの電源か２００Ｖの電源かは利用する機械のモータ等の定格に応じて使用すればよい。また、必要に応じて深夜電力を利用することもできる。
【００３０】
上記構成によれば、本体部１内の接続コード１３を外部に配線すると、雨水や紫外線に晒されることになり、劣化が促進されるが、接続コード１３はポール１５の内部に収容され、外部に露出せず、キャップがあるため雨水や紫外線に晒されることがないから、劣化が促進されることはない。
【００３１】
また、本体部１に配線が施されていないので、充電作業を行うにあたり、充電ケーブル２１のプラグの取り回し作業時に本体部１内の配線に引っ掛けたり、絶縁材が剥がれて人体に接触したりすることがなく、自宅の敷地内で常に快適かつ安全に充電作業を行うことができる。
【００３２】
さらに、扉２にはダイヤル錠６が設けられているので、使用中に扉２を開けられたり、電気機器３を他人に勝手に利用されたりするのを良好に防止することができる。
【００３３】
なお、コンセントユニット１０、タイマースイッチ１２などの電気機器３は、既存の防水性を有する製品を使用すればよいので、電源ユニットを安価に市場に提供することができる。
【００３４】
次に、図６（ａ）（ｂ）は電源ユニットＡを門柱３１に取り付けた場合の実施形態を示すもので、門柱３１には、門まわり機能機器として表札２３とインターホン２４とポスト２５とが取り付けられているとともに、充電用の電源ユニットＡも取り付けられている。
【００３５】
門柱３１は左右両側の中空ポール１５ａ、１５ｂと、これらのポール１５ａ、１５ｂ間に配置された上部正面パネル２６と下部正面パネル２７とから構成されている。ポール１５ａ、１５ｂは、アルミニウムまたはその合金製の押出型材からなり、内部には中空部１８が形成されている。
【００３６】
表札２３とインターホン２４は上部正面パネル２６に配置され、その下部にはポスト２５が取り付けられている。ポスト２５は正面が左右に幅広で奥行きが短いタイプで、正面の開閉蓋には横長の郵便物投入口が形成されている。
【００３７】
なお、門柱の上端には表札２３等を照らす照明電球（図示せず）が設けられている。
【００３８】
次に、ポスト２５の下部には電源ユニットＡが配設されている。
【００３９】
電源ユニットＡは、前述の実施形態のものと基本的には同じ構成であるが、図７〜図９に示されるように、その本体部１は左右のポール１５ａ、１５ｂの側壁１６ａ、１６ｂに当接して固定されている。したがって、２００Ｖ用のコンセントユニット１０とタイマースイッチ１２は一方の側壁１６ａに、１００Ｖ用のコンセントユニット１１は他方の側壁１６ｂに固定されている。
【００４０】
コンセントユニット１０とタイマースイッチ１２とを結ぶ接続コード１３は本体部１を貫通して本体部１の外部に配線され、接続コード１３は対応するポール１５ａ、１５ｂの側壁１６ａ、１６ｂに貫通形成された孔を通って中空部１８の内部に収容されている。なお、家庭用電源からの電源ケーブル（図示せず）もポール１５ａ、１５ｂの内部を通って本体部１内の門まわり機能機器（インターホン、照明電球等）及び電気機器３に接続されている。
【００４１】
したがって、上記構成の電源ユニットＡも前述の実施形態と同じ要領で使用すればよい。
【００４２】
上述の実施形態においても、本体部１内の接続コード１３を外部に配線すると、雨水や紫外線に晒されることになり、劣化が促進されるが、接続コード１３はポール１５ａ、１５ｂの内部に収容され、外部に露出することがないので、劣化等のおそれがない。
【００４３】
また、本体部１内に配線が施されていないので、充電作業を行うにあたり、充電ケーブル２１のプラグの取り回し作業時に本体部１内の配線に引っ掛けたり、絶縁材が剥がれて人体に接触したりすることがなく、自宅の敷地内で常に快適かつ安全に充電作業を行うことができる。
【００４４】
さらに、電源ユニットＡは、門柱３１の下部正面パネル２７によって外部（正面側）からは見えないようになっている。つまり、下部正面パネル２７は電源ユニットＡの外部露出面を覆い隠すように設けられている。使用中も充電ケーブルは下部正面パネル２７によって正面側から直接には見えない。このように、電源ユニットＡの存在は外部からわかりにくくなっているので、防犯性に優れる。下部正面パネル２７は図に示されたようなパンチングパネルに限定されない。他のパネルに交換することができるので、意匠性にも優れている。
【００４５】
さらに、上記電源ユニットＡは、上述のように門まわり機能部品を備えた門柱に設置することができるほか、カーポートなどにも設置することができる。
【００４６】
なお、本体部１には、図８に示されるように、予めビスを打ち込むための孔や接続コード１３を本体部１外に導出するための孔を開けるための目印２８を付けておくのが好ましい。この目印は本体部１の壁を凹ませることによって形成すればよい。
【符号の説明】
【００４７】
Ａ  電源ユニット
１  本体部
２  扉
３  電気機器
１０、１１  コンセントユニット
１２  タイマースイッチ
１３  接続コード
１４、１７  孔
１５、１５ａ、１５ｂ  ポール
１８  中空部
【図１】
2011091979.tif 000003
【図２】
2011091979.tif 000004
【図３】
2011091979.tif 000005
【図４】
2011091979.tif 000006
【図５】
2011091979.tif 000007
【図６】
2011091979.tif 000008
【図７】
2011091979.tif 000009
【図８】
2011091979.tif 000010
【図９】
2011091979.tif 000011